【事件の表示】
　平成１１年特許願第２１５７３８号「スロットマシン」拒絶査定不服審判事件〔平成１３年　２月１３日出願公開、特開２００１−　３７９５０〕について、次のとおり審決する。
【結　論】
　本件審判の請求は、成り立たない。
【理　由】
１．手続の経緯・本願発明
　本願は、平成１１年７月２９日の出願であって、平成１５年５月２１日付けで拒絶査定がなされ、これに対し、平成１５年６月３０日に拒絶査定に対する審判請求がなされるとともに、平成１５年７月２９日付け手続補正書により明細書の補正がなされ、その明細書の特許請求の範囲の請求項１に係る発明（以下、「本願発明」という。）は次のとおりである。
　
「周囲に複数の図柄を表示した回転リールを有するリールユニットと、
　前記リールユニットの駆動を開始させるためのスタートスイッチと、
　前記リールユニットの駆動を停止させるためのストップスイッチと、
　前記リールユニット、前記スタートスイッチ及び前記ストップスイッチを制御すると共に、一定確率で入賞の抽選を行うための遊技制御装置とを備え、
複数の回転リールが停止した状態で、正面側に表示される複数の図柄が、予め設定した所定の方向の有効入賞ライン上に揃うことを条件にメダルが払い出され、メダルの投入枚数の増加によって前記有効入賞ラインの数が増加するようにしたスロットマシンにおいて、
　メダルを一枚投入した場合の前記有効入賞ラインは、複数の回転リールが停止した状態で正面側に表示される複数の図柄のうち回転リールの回転方向先端の図柄を横方向に結ぶ位置の先端ラインに常に設定され、
　メダルを二枚投入した場合の前記有効入賞ラインは、
前記先端ラインと、
　複数の前記回転リールが停止した状態で正面側に表示される複数の図柄を右上がり斜め方向に結ぶ右上がり斜めラインと、
複数の前記回転リールが停止した状態で正面側に表示される複数の図柄を右下がり斜め方向に結ぶ右下がり斜めラインとを備え、
前記先端ラインは、前記右上がり斜めライン及び右下がり斜めラインの下端同士若しくは上端同士の図柄と結ばれていることを特徴とするスロットマシン。」
　
　なお、上記平成１５年７月２９日付けの手続補正は、補正前の特許請求の範囲の請求項１，３を削除し、請求項２の番号を繰り上げて、新しい請求項１とするものであるから、特許法第１７条の２第４項第１号の請求項の削除を目的とする補正に該当する。
　
２．引用例記載の発明
　これに対して、原査定の拒絶の理由に引用された特開昭６３−２３６８５号公報（以下、「引用例」という。）には、図面とともに以下の事項が記載されている。
　
「［従来の技術］
　スロットマシンなどの回胴式遊戯機は、通常多数の絵柄が円周面に設けられている絵柄リールを３本用い、それらを回転させ、各絵柄リールに１個ずつ設けられている停止ボタンを遊戯者が押すことにより、各絵柄リールをランダムに停止させ、あらかじめ定められている入賞ラインにおける絵柄の組合せに応じて入賞を判定し、入賞したばあいには所定枚数のメダルを払出す遊戯機である。
　第２７〜２８図には、そのような従来の回胴式遊戯機（Ｚ）の概略正面図および正面パネル（２１）上における入賞ラインとリール窓からみた絵柄ドラムなどが示されている。
　前記回胴式遊戯機（Ｚ）は、いわゆるスロットマシンとも呼ばれるもので、ボックス状のハウジングを有しており、その内部には３本の絵柄リール（１）、（２）、（３）やそれらを回転させるためのモータその他の制御機器などが内蔵されている。なお前記各絵柄リール（１）、（２）、（３）の外周面のそれぞれには、たとえば７種類２１個の絵柄がランダムな配列順序で表示されている。前面上部の正面パネル（２１）には、絵柄ドラム（１）、（２）、（３）の絵柄を遊戯者が見通すためのリール窓（２２）、各絵柄リール（１）、（２）、（３）を回転させるためのスタートスイッチ（１０）、前記各絵柄リール（１）、（２）、（３）の回転を個別に停止させるための停止ボタン（１１）、（１２）、（１３）、メダル投入口（９）および入賞ラインの位置と本数を表示するためのライン表示器（２３）などが設けられている。
　かかる遊戯機（Ｚ）では、入賞ラインはリール窓（２２）に現われる各絵柄リール（１）、（２）、（３）の３列の絵柄に対応して５本用意されており、それらの中の所定の位置と本数の入賞ラインがメダル投入枚数によって機械的に割り当てられるようになっている。すなわち遊戯者がメダル投入口（９）に入れたメダルの枚数が１枚の場合は中央ライン（I）のみが、２枚のばあいは中央ライン（I）に上下のライン（IIa）、（IIb）が加えられた３本のラインが、３枚のばあいはさらに斜めのライン（IIIa），（IIIb）が加えられた５本のラインが、それぞれ入賞ラインとなるように設定されている。
　このような従来の遊戯機（Ｚ）においてゲームをするときは、遊戯者がコイン投入口（９）に投入したコインの枚数に応じて１本、３本または５本の入賞ラインを指示するライン表示器（２３）が点灯し、遊戯者に入賞ラインの位置と本数が知らされる。そして遊戯者が、スタートスイッチ（１０）を押して、各絵柄リール（１）、（２）、（３）を回転させたのち、停止ボタン（１１）、（１２）、（１３）をそれぞれ任意の順序で押すと、各絵柄リール（１）、（２）、（３）が回転を停止する。停止したときの入賞ラインにおける絵柄の組合せで入賞が判定され、入賞のばあいは所定枚数のメダルが払い出される。ところで前記各絵柄リール（１）、（２）、（３）の回転速度は外周面の絵柄が明瞭には判読できない程度の速さであり、たいていのばあい遊戯者は停止ボタン（１１）、（１２）、（１３）をランダムに押すしかないが、ある程度は狙いをつけて思い通りの停止位置に絵柄リール（１）、（２）、（３）を停止させることもできる。そのためこのような回胴式遊戯機（Ｚ）は、適度に遊戯者の射倖心を刺激し、面白いゲームができる遊戯機となっている。」（第２頁左上欄第１０行〜右下欄第１３行）、
「・・・従来の遊戯機（Ｚ）においては、入賞ラインの位置と本数がメダルの投入枚数によって変るとはいうものの、本質的には固定されたものであり、遊戯者がメダルをメダル投入口（９）に入れた段階で、前述した三つのケースのいずれかに機械的に決ってしまう・・・」（第３頁右上欄第２〜７行）。
　
　上記記載事項を総合すると、引用例には、以下の発明（以下、「引用例記載の発明」という。）が記載されていると認められる。
　
「多数の絵柄が円周面に設けられている絵柄リールを３本有し、
　各絵柄リール（１）、（２）、（３）を回転させるためのスタートスイッチ（１０）と、
　前記各絵柄リール（１）、（２）、（３）の回転を個別に停止させるための停止ボタン（１１）、（１２）、（１３）と、
　制御機器を備え、
　各絵柄リール（１）、（２）、（３）が回転を停止したときの入賞ラインにおける絵柄の組合せで入賞が判定され、入賞のばあいは所定枚数のメダルが払い出され、入賞ラインは、ハウジング前面上部の正面パネル（２１）に設けられたリール窓（２２）に現われる各絵柄リール（１）、（２）、（３）の３列の絵柄に対応して５本用意されており、それらの中の所定の位置と本数の入賞ラインがメダル投入枚数によって機械的に割り当てられるようになっているスロットマシンにおいて、
　メダル投入口（９）に入れたメダルの枚数が１枚のばあいは中央ライン（I）のみが、
　２枚のばあいは中央ライン（I）に上下のライン（IIa）、（IIb）が加えられた３本のラインが、それぞれ入賞ラインとなるよう固定設定されたスロットマシン。」
　
３．対比
　そこで、本願発明と引用例記載の発明とを対比すると、引用例記載の発明における「絵柄」、「絵柄リール」、「スタートスイッチ（１０）」、「停止ボタン（１１）、（１２）、（１３）」、「入賞ライン」、「メダル」、「スロットマシン」は、それぞれ本願発明における「図柄」、「回転リール」、「スタートスイッチ」、「ストップスイッチ」、「有効入賞ライン」、「メダル」、「スロットマシン」に相当し、また、引用例記載の発明における「各絵柄リール（１）、（２）、（３）が回転を停止したときの入賞ラインにおける絵柄の組合せで入賞が判定され、入賞のばあいは所定枚数のメダルが払い出され」る事項は、本願発明における「複数の回転リールが停止した状態で、正面側に表示される複数の図柄が、予め設定した所定の方向の有効入賞ライン上に揃うことを条件にメダルが払い出され」る事項に相当する。
　また、引用例記載の発明における、絵柄リールを３本有する事項は、それら３本の絵柄リールをまとめて「絵柄リールユニット」と言うことができるから、本願発明における「リールユニット」に相当し、
　引用例記載の発明における「それら（入賞ライン）の中の所定の位置と本数の入賞ラインがメダル投入枚数によって機械的に割り当てられる」点は、メダル投入枚数が１枚のばあいは１本の入賞ラインが、メダル投入枚数が２枚のばあいは３本の入賞ラインが、メダル投入枚数が３枚のばあいは５本の入賞ラインがそれぞれ設定されるのであるから、本願発明における「メダル投入枚数の増加によって前記有効入賞ラインの数が増加する」点に相当し、
　さらに、引用例記載の発明における「制御機器」が、各スタートスイッチ（１０）や停止ボタン（１１）、（１２）、（１３）からの信号を受けて、３本の絵柄リールの回転・停止を制御することは明らかであるから、引用例記載の発明における「制御機器」と、本願発明における「遊技制御装置」は、「前記リールユニット、前記スタートスイッチ及び前記ストップスイッチを制御する」機能を備えている点で共通し、
　引用例記載の発明における、メダル投入口（９）に入れたメダルの枚数が１枚のばあいは中央ライン（I）のみが入賞ラインとなるよう固定設定される事項は、メダルを１枚投入した際に、中央ライン（I）の１本のみが常に入賞ラインとして設定されることに他ならないことから、引用例記載の発明における、メダル投入口（９）に入れたメダルの枚数が１枚のばあいは中央ライン（I）のみが入賞ラインとなるよう固定設定される事項と、本願発明における「メダルを一枚投入した場合の前記有効入賞ラインは、複数の回転リールが停止した状態で正面側に表示される複数の図柄のうち回転リールの回転方向先端の図柄を横方向に結ぶ位置の先端ラインに常に設定され」る事項は、メダルを一枚投入した場合の有効入賞ラインが、複数の回転リールが停止した状態で正面側に表示される複数の図柄のうち回転リールの図柄を横方向に結ぶ位置のラインに常に設定される点で共通し、
　引用例記載の発明における、メダル投入口（９）に入れたメダルの枚数が２枚のばあいは中央ライン（I）に上下のライン（IIa）、（IIb）が加えられた３本のラインが入賞ラインとなるよう設定される事項は、中央ライン（I）がメダルを１枚投入したばあいに設定される入賞ラインであることから、引用例記載の発明における、メダル投入口（９）に入れたメダルの枚数が２枚のばあいは中央ライン（I）に上下のライン（IIa）、（IIb）が加えられた３本のラインが入賞ラインとなるよう設定される事項と、本願発明における「メダルを二枚投入した場合の前記有効入賞ラインは、前記先端ラインと、複数の前記回転リールが停止した状態で正面側に表示される複数の図柄を右上がり斜め方向に結ぶ右上がり斜めラインと、複数の前記回転リールが停止した状態で正面側に表示される複数の図柄を右下がり斜め方向に結ぶ右下がり斜めラインとを備え」る事項は、メダルを二枚投入した場合の有効入賞ラインが、メダルを一枚投入した場合の有効入賞ラインと、複数の前記回転リールが停止した状態で正面側に表示される複数の図柄を結ぶ、既に設定された前記有効入賞ライン以外の２本のラインとに設定される点で共通する。
　そうすると、両者は、
　
「周囲に複数の図柄を表示した回転リールを有するリールユニットと、
　前記リールユニットの駆動を開始させるためのスタートスイッチと、
　前記リールユニットの駆動を停止させるためのストップスイッチと、
　前記リールユニット、前記スタートスイッチ及び前記ストップスイッチを制御する遊技制御装置とを備え、
複数の回転リールが停止した状態で、正面側に表示される複数の図柄が、予め設定した所定の方向の有効入賞ライン上に揃うことを条件にメダルが払い出され、メダルの投入枚数の増加によって前記有効入賞ラインの数が増加するようにしたスロットマシンにおいて、
　メダルを一枚投入した場合の前記有効入賞ラインは、複数の回転リールが停止した状態で正面側に表示される複数の図柄のうち回転リールの図柄を横方向に結ぶ位置のラインに常に設定され、
　メダルを二枚投入した場合の前記有効入賞ラインは、
メダルを一枚投入した場合に設定された前記有効入賞ラインと、
　複数の前記回転リールが停止した状態で正面側に表示される複数の図柄を結ぶ、既に設定された前記有効入賞ライン以外の２本のラインであるスロットマシン。」
　
　で一致し、本願発明と引用例記載の発明とは、次の点で相違する。
　
（相違点）
ｉ）遊技制御装置が、本願発明では、一定確率で入賞の抽選を行う機能を備えているのに対し、引用例にはそのような機能は記載されていない点、
ｉｉ）メダルを投入した場合の有効入賞ラインが、本願発明では、メダルが一枚のときは、複数の回転リールが停止した状態で正面側に表示される複数の回転リールの回転方向先端の図柄を横方向に結ぶ位置の先端ラインに設定され、メダルが二枚のときは、前記先端ラインと、複数の前記回転リールが停止した状態で正面側に表示される複数の図柄を右上がり斜め方向に結ぶ右上がり斜めラインと、複数の前記回転リールが停止した状態で正面側に表示される複数の図柄を右下がり斜め方向に結ぶ右下がり斜めラインに設定され、前記先端ラインは、前記右上がり斜めライン及び右下がり斜めラインの下端同士若しくは上端同士の図柄と結ばれているのに対し、引用例記載の発明では、メダルが１枚のときは中央ライン（I）に設定され、メダルが２枚のときは、前記中央ライン（I）に上下のライン（IIa）、（IIb）が加えられた３本のラインに設定されている点。
　
４．判断
　上記相違点について検討する。
・相違点ｉ）について
　スロットマシンの制御装置において、入賞するかどうかを所定の確率に基づいて抽選して決定することは、本出願前周知・慣用の技術事項（例えば、特開平７−３０８４２３号公報、実願平７−８１４３号（実開平８−９９５号）のＣＤ−ＲＯＭ、特開平１１−１６４９３８号公報等参照）であることから、引用例記載の発明における制御機器においても、所定の確率に基づき入賞するかどうかの抽選を行う機能を備えるよう構成することは、当業者であれば容易に想到し得たものと認められる。
・相違点ｉｉ）について
　特開平７−３１３６５９号公報、特開平７−３１３６６０号公報、実願平３−８４８１１号（実開平５−２８３７７号）のＣＤ−ＲＯＭには、メダルを投入した際に設定される有効入賞ラインを、種々の入賞ラインの中から適宜選択して設定するスロットマシンが記載されていることから、メダルを投入した際に設定される有効入賞ラインを中央ライン以外に設定することは、本願出願前周知の技術事項（以下、「周知技術Ｉ」という。）であり、一方、メダルを２枚投入した際に新たに設定される有効入賞ラインを右上がり斜めライン及び右下がり斜めラインとすることも周知（例えば、登録実用新案第３０２０７６３号公報、特開平１０−３１４３７３号公報等参照）の技術事項（以下、「周知技術ＩＩ」という。）である。
　そうすると、引用例記載の発明において、メダルを１枚投入した場合に設定される入賞ラインに上記周知技術Ｉを適用して、中央ライン（I）以外のラインを入賞ラインに設定し、さらに、メダルを２枚投入した場合に追加設定される入賞ラインに上記周知技術ＩＩを適用して、複数の絵柄リールが停止した状態で正面側に表示される複数の絵柄を右上がり斜め方向に結ぶ右上がり斜めライン、及び、複数の絵柄リールが停止した状態で正面側に表示される複数の絵柄を右下がり斜め方向に結ぶ右下がり斜めラインを新たな入賞ラインとして設定することは、当業者であれば容易に想到し得たものと認められる。そして、スロットマシンにおいて目押しをし易くするために、リールの回転速度を遅くするなど、種々の工夫を施すことは、本願出願前周知の技術事項（例えば、特開平６−６３２１７号公報、特開平１０−３２８３５３号公報、特開平１１−４７３５１号公報等参照）であることや、回転表示される絵柄を遊戯者が判別するには、絵柄が表示されてからある程度の時間が必要であること等を考慮すると、メダルを１枚投入した際の入賞ラインとして、複数の絵柄リールが停止した状態で正面側に表示される複数の絵柄のうち絵柄リールの回転方向先端の絵柄を横方向に結ぶ位置のラインを採用することは、当業者が適宜設定し得る事項にすぎない。
　
　そして、本願発明によって奏する効果も、引用例記載の発明及び周知技術事項から普通に予測できる範囲のものである。
　
５．むすび
　以上のとおり、本願発明は、引用例記載の発明及び周知技術事項に基づいて当業者が容易に発明をすることができたものであるから、特許法第２９条第２項の規定により、特許を受けることができないものであり、本願は拒絶をすべきものである。
　よって、結論のとおり審決する。